(57)【要約】      （修正有）【課題】ブリッジ接続された複数の電力線通信ネットワークにおいて、電力線通信装置の接続関係を容易に把握できる情報処理装置および電力線通信装置を提供する。【解決手段】情報処理装置２は、ブリッジ接続された電力線通信ネットワークＮＷ１〜ＮＷ４の各々から、電力線通信ネットワークＮＷ１〜ＮＷ４の各々における電力線通信装置の論理接続情報およびブリッジ接続情報を取得する取得部と、論理接続情報に基づいて、電力線通信ネットワークＮＷ１〜ＮＷ４の各々における電力線通信装置の論理接続関係を表示装置に表示し、ブリッジ接続情報に基づいて、電力線通信ネットワークＮＷ１〜ＮＷ４間のブリッジ接続関係を表示装置に表示する制御部と、を有する。【選択図】図１
2020043468.tif 000002
【特許請求の範囲】
【請求項１】
ブリッジ接続された複数の電力線通信ネットワークの各々から、前記複数の電力線通信ネットワークの各々における電力線通信装置の論理接続情報およびブリッジ接続情報を取得する取得部と、
前記論理接続情報に基づいて、前記複数の電力線通信ネットワークの各々における電力線通信装置の論理接続関係を表示装置に表示し、前記ブリッジ接続情報に基づいて、前記複数の電力線通信ネットワーク間のブリッジ接続関係を前記表示装置に表示する制御部と、
を有する情報処理装置。
【請求項２】
前記取得部は、前記複数の電力線通信ネットワークの各々に含まれるマスタの電力線通信装置から、前記論理接続情報を取得する、
請求項１に記載の情報処理装置。
【請求項３】
前記取得部は、前記複数の電力線通信ネットワークの各々に含まれるマスタおよびターミナルの電力線通信装置から、前記ブリッジ接続情報を取得する、
請求項１または２に記載の情報処理装置。
【請求項４】
前記制御部は、前記論理接続関係および前記ブリッジ接続関係を、グラフィカルに前記表示装置に表示する、
請求項１から３のいずれか一項に記載の情報処理装置。
【請求項５】
ブリッジ接続された複数の電力線通信ネットワークの各々における電力線通信装置の論理接続関係および前記複数の電力線通信ネットワーク間のブリッジ接続関係を表示装置に表示する情報処理装置と通信する通信部と、
前記情報処理装置の要求に応じて、ブリッジ接続の接続先装置の情報を取得し、前記情報処理装置に通知する制御部と、
を有する電力線通信装置。
【請求項６】
前記制御部は、当該電力線通信装置がマスタである場合、前記情報処理装置の要求に応じて、当該電力線通信装置が属する電力線通信ネットワークの論理接続情報を前記情報処理装置に通知する、
請求項５に記載の電力線通信装置。
【発明の詳細な説明】
【技術分野】
【０００１】
本開示は、情報処理装置および電力線通信装置に関する。
【背景技術】
【０００２】
屋内に敷設された電力線を伝送路に用いて、複数の端末装置間で通信を行う電力線通信（ＰＬＣ：Power Line Communications）がある。従来、通信方式の異なる複数種類の通信装置が送信しようとするデータに応じた遅延の制限を満たしつつ、信号の衝突を回避して効率的な伝送を行なうことができる通信方法が提案されている（例えば、特許文献１を参照）。
【先行技術文献】
【特許文献】
【０００３】
【特許文献１】特開２００９−１０００４４号公報
【発明の概要】
【発明が解決しようとする課題】
【０００４】
複数の電力線通信ネットワークは、ブリッジ接続される場合がある。ユーザは、ブリッジ接続された複数の電力線通信ネットワークにおいて、電力線通信装置の接続関係を把握したい場合がある。
【０００５】
しかしながら従来、ユーザが、ブリッジ接続された複数の電力線通信ネットワークにおいて、電力線通信装置の接続関係を容易に把握できる技術は提供されていない。
【０００６】
本開示の非限定的な実施例は、ユーザが、ブリッジ接続された複数の電力線通信ネットワークにおいて、電力線通信装置の接続関係を容易に把握できる情報処理装置および電力線通信装置の提供に資する。
【課題を解決するための手段】
【０００７】
本開示の一態様に係る情報処理装置は、ブリッジ接続された複数の電力線通信ネットワークの各々から、前記複数の電力線通信ネットワークの各々における電力線通信装置の論理接続情報およびブリッジ接続情報を取得する取得部と、前記論理接続情報に基づいて、前記複数の電力線通信ネットワークの各々における電力線通信装置の論理接続関係を表示装置に表示し、前記ブリッジ接続情報に基づいて、前記複数の電力線通信ネットワーク間のブリッジ接続関係を前記表示装置に表示する制御部と、を有する。
【０００８】
本開示の一態様に係る電力線通信装置は、ブリッジ接続された複数の電力線通信ネットワークの各々における電力線通信装置の論理接続関係および前記複数の電力線通信ネットワーク間のブリッジ接続関係を表示装置に表示する情報処理装置と通信する通信部と、前記情報処理装置の要求に応じて、ブリッジ接続の接続先装置の情報を取得し、前記情報処理装置に通知する制御部と、を有する。
【０００９】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１０】
本開示の一態様によれば、ユーザは、ブリッジ接続された複数の電力線通信ネットワークにおいて、電力線通信装置の接続関係を容易に把握できる。
【００１１】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１２】
【図１】本開示の実施の形態に係る電力線通信システムの構成例を示した図
【図２】図１の電力線通信システムの論理接続例を示した図
【図３】図２のマスタの電力線通信装置が有する論理接続情報の一例を示した図
【図４】電力線通信装置のブロック構成の一例を示した図
【図５】情報処理装置のブロック構成の一例を示した図
【図６】接続マップ情報の一例を示した図
【図７】論理接続情報の生成におけるマスタの動作例を示したフローチャート
【図８】論理接続情報の生成におけるターミナルの動作例を示したフローチャート
【図９】接続マップ情報の生成における情報処理装置の動作例を示したフローチャート
【図１０】接続マップ情報の生成における情報処理装置の動作例を示したフローチャート
【発明を実施するための形態】
【００１３】
以下、図面を適宜参照して、本発明の実施の形態について、詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、添付図面および以下の説明は、当業者が本開示を十分に理解するために、提供されるのであって、これらにより特許請求の範囲に記載の主題を限定することは意図されていない。
【００１５】
図１は、本開示の実施の形態に係る電力線通信システムの構成例を示した図である。図１に示すように、電力線通信システムは、マスタの電力線通信装置Ｍ１〜Ｍ４と、ターミナルの電力線通信装置Ｔ１ａ〜Ｔ１ｃ，Ｔ２ａ〜Ｔ２ｃ，Ｔ３ａ〜Ｔ３ｃ，Ｔ４ａ〜Ｔ４ｃと、情報処理装置２と、を有している。
【００１６】
電力線通信装置Ｍ１〜Ｍ４，Ｔ１ａ〜Ｔ１ｃ，Ｔ２ａ〜Ｔ２ｃ，Ｔ３ａ〜Ｔ３ｃ，Ｔ４ａ〜Ｔ４ｃは、例えば、ＰＬＣを行うＰＬＣモデムである。電力線通信装置Ｍ１〜Ｍ４，Ｔ１ａ〜Ｔ１ｃ，Ｔ２ａ〜Ｔ２ｃ，Ｔ３ａ〜Ｔ３ｃ，Ｔ４ａ〜Ｔ４ｃのそれぞれには、例えば、電子機器（図示せず）が接続されている。電子機器は、電力線通信装置Ｍ１〜Ｍ４，Ｔ１ａ〜Ｔ１ｃ，Ｔ２ａ〜Ｔ２ｃ，Ｔ３ａ〜Ｔ３ｃ，Ｔ４ａ〜Ｔ４ｃを介して互いに通信を行う。
【００１７】
電力線通信装置Ｍ１，Ｔ１ａ〜Ｔ１ｃは、それぞれ電源ライン３ａに接続され、電力線通信ネットワークＮＷ１を構成している。電力線通信装置Ｍ１，Ｔ１ａ〜Ｔ１ｃは、電源ライン３ａを介して、互いに通信を行う。
【００１８】
電力線通信装置Ｍ２，Ｔ２ａ〜Ｔ２ｃは、それぞれ電源ライン３ｂに接続され、電力線通信ネットワークＮＷ２を構成している。電力線通信装置Ｍ２，Ｔ２ａ〜Ｔ２ｃは、電源ライン３ｂを介して、互いに通信を行う。
【００１９】
電力線通信装置Ｍ３，Ｔ３ａ〜Ｔ３ｃは、それぞれ電源ライン３ｃに接続され、電力線通信ネットワークＮＷ３を構成している。電力線通信装置Ｍ３，Ｔ３ａ〜Ｔ３ｃは、電源ライン３ｃを介して、互いに通信を行う。
【００２０】
電力線通信装置Ｍ４，Ｔ４ａ〜Ｔ４ｃは、それぞれ電源ライン３ｄに接続され、電力線通信ネットワークＮＷ４を構成している。電力線通信装置Ｍ４，Ｔ４ａ〜Ｔ４ｃは、電源ライン３ｄを介して、互いに通信を行う。
【００２１】
電力線通信ネットワークＮＷ１，ＮＷ２は、例えば、イーサネット（登録商標）ケーブルであるケーブル４ａによってブリッジ接続されている。図１の例では、電力線通信ネットワークＮＷ１の電力線通信装置Ｔ１ｃと、電力線通信ネットワークＮＷ２の電力線通信装置Ｔ２ｂとが、ケーブル４ａによって接続されている。
【００２２】
電力線通信ネットワークＮＷ２，ＮＷ３は、例えば、イーサネットケーブルであるケーブル４ｂによってブリッジ接続されている。図１の例では、電力線通信ネットワークＮＷ２の電力線通信装置Ｔ２ｃと、電力線通信ネットワークＮＷ３の電力線通信装置Ｔ３ａとが、ケーブル４ｂによって接続されている。
【００２３】
電力線通信ネットワークＮＷ３，ＮＷ４は、例えば、イーサネットケーブルであるケーブル４ｃによってブリッジ接続されている。図１の例では、電力線通信ネットワークＮＷ３の電力線通信装置Ｔ３ｃと、電力線通信ネットワークＮＷ４の電力線通信装置Ｔ４ａとが、ケーブル４ｃによって接続されている。
【００２４】
ケーブル４ａ〜４ｃによってブリッジ接続された電力線通信ネットワークＮＷ１〜ＮＷ４は、１つの電力線通信ネットワークを形成していると捉えてよい。電力線通信ネットワークＮＷ１〜ＮＷ４のそれぞれに含まれている電力線通信装置は、ケーブル４ａ〜４ｃを介して、他の電力線通信ネットワークＮＷ１〜ＮＷ４のそれぞれに含まれている電力線通信装置と通信を行う。
【００２５】
情報処理装置２は、例えば、パーソナルコンピュータまたはタブレット端末等の情報処理装置である。情報処理装置２は、ブリッジ接続された電力線通信ネットワークＮＷ１〜ＮＷ４のいずれかに接続される。図１の例では、情報処理装置２は、ケーブル４ａに接続され、電力線通信ネットワークＮＷ１，ＮＷ２に接続されている。なお、情報処理装置２は、例えば、ハブ（図示せず）を介して、ケーブル４ａに接続される。
【００２６】
情報処理装置２の表示装置には、電力線通信ネットワークＮＷ１〜ＮＷ４のそれぞれにおける電力線通信装置の論理接続関係（論理接続については後述する）が表示される。また、情報処理装置２の表示装置には、電力線通信ネットワークＮＷ１〜ＮＷ４間の接続関係（ブリッジ接続の接続関係）が表示される。情報処理装置２は、電力線通信装置の論理接続関係および電力線通信ネットワークＮＷ１〜ＮＷ４間の接続関係を、例えば、グラフィカルに表示装置に表示する（例えば、図２に示すような接続関係を表示装置に表示する）。
【００２７】
情報処理装置２は、例えば、電力線通信ネットワークＮＷ１〜ＮＷ４を保守または管理するユーザによって使用される。例えば、ユーザは、情報処理装置２を、電力線通信ネットワークＮＷ１〜ＮＷ４のいずれかに接続する。ユーザは、情報処理装置２を操作して、接続表示アプリケーションを起動し、電力線通信装置の論理接続関係およびブリッジ接続関係を、情報処理装置２の表示装置に表示する。これにより、ユーザは、ブリッジ接続された複数の電力線通信ネットワークにおける電力線通信装置の接続関係を容易に把握できる。
【００２８】
なお、図１では、電源ライン３ａ〜３ｄのそれぞれに、４台の電力線通信装置が接続されているがこれに限られない。電源ライン３ａ〜３ｄのそれぞれには、３台以下の電力線通信装置が接続されてもよいし、５台以上の電力線通信装置が接続されてもよい。また、電子機器が、電力線通信装置を備え、電源ライン３ａ〜３ｄに接続されてもよい。また、電力線通信ネットワークＮＷ１〜ＮＷ４は、ケーブル４ａ〜４ｃを介して通信するとしたが、これに限られない。電力線通信ネットワークＮＷ１〜ＮＷ４は、無線通信によって通信してもよい。例えば、電力線通信装置Ｔ１ｃと電力線通信装置Ｔ２ｂは、無線通信によって通信してもよい。また、情報処理装置２は、電力線通信装置Ｔ１ｃと無線通信によって通信してもよい。
【００２９】
以下では、マスタの電力線通信装置から、ターミナルの電力線通信装置への信号の流れを「下り」と呼ぶことがある。また、ターミナルの電力線通信装置から、マスタの電力線通信装置への信号の流れを「上り」と呼ぶことがある。信号には、パケットが含まれてもよい。
【００３０】
図２は、図１の電力線通信システムの論理接続例を示した図である。図２に示すＭ１〜Ｍ４，Ｔ１ａ〜Ｔ１ｃ，Ｔ２ａ〜Ｔ２ｃ，Ｔ３ａ〜Ｔ３ｃ，Ｔ４ａ〜Ｔ４ｃは、図１に示した電力線通信装置Ｍ１〜Ｍ４，Ｔ１ａ〜Ｔ１ｃ，Ｔ２ａ〜Ｔ２ｃ，Ｔ３ａ〜Ｔ３ｃ，Ｔ４ａ〜Ｔ４ｃに対応する。図２に示す太線は、図１に示した電力線通信システムのブリッジ接続を示している。
【００３１】
電力線通信装置Ｍ１〜Ｍ４，Ｔ１ａ〜Ｔ１ｃ，Ｔ２ａ〜Ｔ２ｃ，Ｔ３ａ〜Ｔ３ｃ，Ｔ４ａ〜Ｔ４ｃは、マルチホップ通信を行う。図１に示した電力線通信システムの電力線通信装置Ｍ１〜Ｍ４，Ｔ１ａ〜Ｔ１ｃ，Ｔ２ａ〜Ｔ２ｃ，Ｔ３ａ〜Ｔ３ｃ，Ｔ４ａ〜Ｔ４ｃは、例えば、図２に示すような論理接続（トポロジ）を有している。電力線通信装置Ｍ１〜Ｍ４，Ｔ１ａ〜Ｔ１ｃ，Ｔ２ａ〜Ｔ２ｃ，Ｔ３ａ〜Ｔ３ｃ，Ｔ４ａ〜Ｔ４ｃは、電力線通信ネットワークＮＷ１〜ＮＷ４のそれぞれにおいて、マスタの電力線通信装置Ｍ１〜Ｍ４をルートノードとした、ツリー構造を形成している。
【００３２】
電力線通信ネットワークＮＷ１〜ＮＷ４のそれぞれにおけるマスタの電力線通信装置Ｍ１〜Ｍ４は、マスタの電力線通信装置Ｍ１〜Ｍ４のそれぞれが属する電力線通信ネットワークＮＷ１〜ＮＷ４の論理接続情報を有している。例えば、電力線通信ネットワークＮＷ１のマスタの電力線通信装置Ｍ１は、マスタの電力線通信装置Ｍ１と、配下のターミナルの電力線通信装置Ｔ１ａ〜Ｔ１ｃとの論理接続を示した論理接続情報を有している。電力線通信ネットワークＮＷ２のマスタの電力線通信装置Ｍ２は、マスタの電力線通信装置Ｍ２と、配下のターミナルの電力線通信装置Ｔ２ａ〜Ｔ２ｃとの論理接続情報を有している。電力線通信ネットワークＮＷ３のマスタの電力線通信装置Ｍ３は、マスタの電力線通信装置Ｍ３と、配下のターミナルの電力線通信装置Ｔ３ａ〜Ｔ３ｃとの間の論理接続情報を有している。電力線通信ネットワークＮＷ４のマスタの電力線通信装置Ｍ４は、マスタの電力線通信装置Ｍ４と、配下のターミナルの電力線通信装置Ｔ４ａ〜Ｔ４ｃとの間の論理接続情報を有している。
【００３３】
図３は、図２のマスタの電力線通信装置Ｍ１が有する論理接続情報の一例を示した図である。図３に示す論理接続情報は、例えば、マスタの電力線通信装置Ｍ１の記憶装置に記憶されている。図３に示すように、論理接続情報は、Deviceと、MAC addressと、直下デバイスｋ（ｋ＝０，…，Ｎ）と、を有している。
【００３４】
Deviceは、電力線通信装置Ｍ１，Ｔ１ａ〜Ｔ１ｃを識別する識別情報である。例えば、図３のDeviceに示す「Ｍ１，Ｔ１ａ〜Ｔ１ｃ」のそれぞれは、図２に示した電力線通信装置Ｍ１，Ｔ１ａ〜Ｔ１ｃの識別情報を示している。すなわち、図３のDeviceは、電力線通信ネットワークＮＷ１に含まれている電力線通信装置Ｍ１，Ｔ１ａ〜Ｔ１ｃの識別情報が記憶される。
【００３５】
MAC addressは、MAC addressに対応するDevice（電力線通信線装置）のＭＡＣ（Media Access Control address）アドレスを示している。例えば、Device「Ｍ１」の電力線通信装置のＭＡＣアドレスは、「ＭＡＣ＿Ｍ１」である。Device「Ｔ１ａ」の電力線通信装置のＭＡＣアドレスは、「ＭＡＣ＿Ｔ１ａ」である。
【００３６】
直下デバイスｋは、直下デバイスｋに対応するDeviceの下り方向直下に接続されている電力線通信装置の識別情報を示している。例えば、図２において、電力線通信装置Ｍ１の下り方向直下には、電力線通信装置Ｔ１ａ，Ｔ１ｂが接続されている。従って、Device「Ｍ１」の直下デバイス１，２のそれぞれには「Ｔ１ａ」，「Ｔ１ｃ」が記憶されている。また、例えば、図２において、電力線通信装置Ｔ１ａの下り方向直下には、電力線通信装置Ｔ１ｃが接続されている。従って、Device「Ｔ１ａ」の直下デバイス１には「Ｔ１ｃ」が記憶されている。
【００３７】
なお、図２において、電力線通信装置Ｔ１ｂ，Ｔ１ｃの下り方向直下には、電力線通信装置が接続されていない。従って、Device「Ｔ１ｂ」，「Ｔ１ｃ」の直下デバイスｋには、Device「Ｔ１ｂ」，「Ｔ１ｃ」の下り方向直下に電力線通信装置が接続されていないことを示す情報「−」が記憶されている。
【００３８】
図２に示したその他のマスタの電力線通信装置Ｍ２〜Ｍ４も、図３と同様の論理接続情報を記憶装置に記憶している。電力線通信装置の論理接続は、例えば、マスタの電力線通信装置と、ターミナルの電力線通信装置との間の信号の減衰量またはノイズレベル等によって決定される。
【００３９】
図４は、電力線通信装置Ｔ１ｃのブロック構成の一例を示した図である。図４において、図１と同じものには同じ符号が付してある。図４に示すように、電力線通信装置Ｔ１ｃは、ＰＬＣコントローラ１０と、ＣＰＵ（Central Processing Unit）２０と、を有している。ＰＬＣコントローラ１０は、ＣＰＵ１１と、ＰＬＣ部１２と、イーサ（Ether）部１３と、ＲＳ４８５Ｉ／Ｆ（Ｉ／Ｆ：InterFace）１４と、ＵＳＢ（Universal Serial Bus）Ｉ／Ｆ１５と、Ｅｔｃ．Ｉ／Ｆ１６と、を有している。ＰＬＣコントローラ１０は、例えば、１つの半導体チップによって形成されてもよい。
【００４０】
ＣＰＵ１１は、ＰＬＣコントローラ１０全体を制御する。例えば、ＣＰＵ１１は、ＰＬＣ部１２が電源ライン３ａから受信した信号を、ＲＳ４８５Ｉ／Ｆ１４、ＵＳＢＩ／Ｆ１５、およびＥｔｃ．Ｉ／Ｆ１６のいずれかを介して、ＣＰＵ２０に出力する。また、ＣＰＵ１１は、例えば、イーサ部１３がケーブル４ａから受信した信号を、ＲＳ４８５Ｉ／Ｆ１４、ＵＳＢＩ／Ｆ１５、およびＥｔｃ．Ｉ／Ｆ１６のいずれかを介して、ＣＰＵ２０に出力する。
【００４１】
また、ＣＰＵ１１は、例えば、ＣＰＵ２０から出力される信号を、ＲＳ４８５Ｉ／Ｆ１４、ＵＳＢＩ／Ｆ１５、およびＥｔｃ．Ｉ／Ｆ１６のいずれかを介して受信し、ＰＬＣ部１２に出力する。また、ＣＰＵ１１は、例えば、ＣＰＵ２０から出力される信号を、ＲＳ４８５Ｉ／Ｆ１４、ＵＳＢＩ／Ｆ１５、およびＥｔｃ．Ｉ／Ｆ１６のいずれかを介して受信し、イーサ部１３に出力する。
【００４２】
ＰＬＣ部１２は、電源ライン３ａに接続されている。ＰＬＣ部１２は、電源ライン３ａから受信した信号を、ＣＰＵ１１に出力する。また、ＰＬＣ部１２は、ＣＰＵ１１から出力された信号を、電源ライン３ａに出力する。ＰＬＣ部１２は、ＰＬＣの物理層およびＭＡＣ層の処理を行う。
【００４３】
イーサ部１３は、ケーブル４ａに接続されている。イーサ部１３は、ケーブル４ａから受信した信号を、ＣＰＵ１１に出力する。また、イーサ部１３は、ＣＰＵ１１から出力された信号を、ケーブル４ａに出力する。
【００４４】
ＲＳ４８５Ｉ／Ｆ１４は、ＲＳ４８５に基づいて、ＣＰＵ２０と通信を行うインタフェースである。ＵＳＢＩ／Ｆ１５は、ＵＳＢに基づいて、ＣＰＵ２０と通信を行うインタフェースである。Ｅｔｃ．Ｉ／Ｆ１６は、ＲＳ４８５Ｉ／Ｆ１４およびＵＳＢＩ／Ｆ１５以外の通信規格に基づいて、ＣＰＵ２０と通信を行うインタフェースである。なお、ＣＰＵ２０は、ＣＰＵ１１に組み込まれてもよい。この場合、各Ｉ／Ｆは不要となる。
【００４５】
ＣＰＵ２０は、アプリケーションレベルでの通信処理を行う。ＣＰＵ２０は、例えば、Lon Talkプロトコルに基づく通信処理を実行してもよい。
【００４６】
ＣＰＵ１１は、情報処理装置２からの要求に応じて、ブリッジ接続の接続先における電力線通信装置の情報（以下、ブリッジ接続情報と呼ぶことがある）を、情報処理装置２に通知する。例えば、電力線通信装置Ｔ１ｃは、図１および図２に示したように、電力線通信装置Ｔ２ａにブリッジ接続されている。従って、ＣＰＵ１１は、情報処理装置２からの要求に応じて、電力線通信装置Ｔ２ａがブリッジ接続されていることを示すブリッジ接続情報を、情報処理装置２に通知する。なお、ＣＰＵ１１は、電力線通信装置Ｔ１ｃがブリッジ接続されていない場合、電力線通信装置Ｔ１ｃがブリッジ接続されていないことを示すブリッジ接続情報を、情報処理装置２に通知する。また、ＣＰＵ１１は、イーサ部１３を介して、ブリッジ接続の接続先の電力線通信装置と通信し、ブリッジ接続の接続先における電力線通信装置の情報（Device、MAC address、またはIP address等）を取得できる。
【００４７】
なお、図４では、ＣＰＵ１１が実行するプログラムを記憶する記憶装置（例えば、ＲＯＭ（Read Only Memory））の図示を省略している。また、図４では、ＣＰＵ１１が実行するプログラムの処理に必要な各種データを記憶する記憶装置（例えば、ＲＡＭ（Random access memory））の図示を省略している。ＣＰＵ１１が実行するプログラムを記憶する記憶装置およびＣＰＵ１１が実行するプログラムの処理に必要な各種データを記憶する記憶装置は、ＰＬＣコントローラ１０が有してもよい。
【００４８】
また、図４では、ＣＰＵ２０が実行するプログラムを記憶する記憶装置（例えば、ＲＯＭ）の図示を省略している。また、図４では、ＣＰＵ２０が実行するプログラムの処理に必要な各種データを記憶する記憶装置（例えば、ＲＡＭ）の図示を省略している。
【００４９】
また、ＣＰＵ１１とＰＬＣ部１２は、別々になっているが、一体となっていてもよい。
【００５０】
また、図４では、ターミナルの電力線通信装置Ｔ１ｃのブロック構成について説明したが、その他のターミナルの電力線通信装置Ｔ１ａ，Ｔ１ｂ，Ｔ２ａ〜Ｔ２ｃ，Ｔ３ａ〜Ｔ３ｃ，Ｔ４ａ〜Ｔ４ｃも、図４に示す電力線通信装置Ｔ１ｃと同様のブロック構成を有している。
【００５１】
また、マスタの電力線通信装置Ｍ１〜Ｍ４のそれぞれも、図４に示すターミナルの電力線通信装置Ｔ１ｃのブロック構成と同様のブロック構成を有している。ただし、マスタの電力線通信装置Ｍ１〜Ｍ４のそれぞれにおけるＰＬＣコントローラのＣＰＵは、マスタの電力線通信装置Ｍ１〜Ｍ４のそれぞれが属している電力線通信ネットワークＮＷ１〜ＮＷ４の論理接続情報を生成し、記憶装置に記憶する。また、マスタの電力線通信装置Ｍ１〜Ｍ４のそれぞれにおけるＰＬＣコントローラのＣＰＵは、記憶装置に記憶している論理接続情報を情報処理装置２に送信する。以下では、電力線通信装置Ｍ１〜Ｍ４，Ｔ１ａ，Ｔ１ｂ，Ｔ２ａ〜Ｔ２ｃ，Ｔ３ａ〜Ｔ３ｃ，Ｔ４ａ〜Ｔ４ｃのＰＬＣコントローラにおけるＣＰＵを単にＣＰＵと呼ぶことがある。
【００５２】
図５は、情報処理装置２のブロック構成の一例を示した図である。図５に示すように、情報処理装置２は、ＣＰＵ３１と、記憶部３２と、表示部３３と、入力部３４と、通信部３５と、を有している。
【００５３】
ＣＰＵ３１は、情報処理装置２全体を制御する。記憶部３２には、ＣＰＵ３１が動作するためのプログラムが記憶される。また、記憶部３２には、ＣＰＵ３１が計算処理を行うためのデータや、接続されている各部を制御するためのデータが記憶される。記憶部３２は、ＲＡＭ（Random Access Memory）、ＲＯＭ（Read Only Memory）、フラッシュメモリ、およびＨＤＤ（Hard Disk Drive）などの記憶装置によって構成されてもよい。
【００５４】
表示部３３には、表示装置（図示せず）が接続されている。表示部３３は、例えば、グラフィック処理を行う。表示部３３は、ＣＰＵ３１から送られてくる信号に従って、画像を表示装置に表示する。入力部３４には、キーボードまたはマウス等の入力装置（図示せず）が接続されている。入力部３４は、入力装置から送られてくる信号を、ＣＰＵ３１に出力する。
【００５５】
通信部３５は、電力線通信ネットワークＮＷ１〜ＮＷ４のいずれかに接続される。例えば、通信部３５は、ケーブル４ａ〜４ｃのいずれかに挿入されたハブに接続され、電力線通信ネットワークＮＷ１〜ＮＷ４のいずれかに接続される。通信部３５は、ＣＰＵ３１から送られてくる信号を、電力線通信ネットワークＮＷ１〜ＮＷ４に送信し、電力線通信ネットワークＮＷ１〜ＮＷ４から送られてくる信号を、ＣＰＵ３１に出力する。
【００５６】
ＣＰＵ３１は、ユーザの入力装置の操作に応じて（入力部３４を介した、入力装置から送られてくる信号に応じて）、マスタの電力線通信装置Ｍ１〜Ｍ４から、論理接続情報を取得する。また、ＣＰＵ３１は、ユーザの入力装置の操作に応じて、電力線通信装置Ｍ１〜Ｍ４，Ｔ１ａ〜Ｔ１ｃ，Ｔ２ａ〜Ｔ２ｃ，Ｔ３ａ〜Ｔ３ｃ，Ｔ４ａ〜Ｔ４ｃから、ブリッジ接続情報を取得する。なお、ＣＰＵ３１は、通信部３５を介して、論理接続情報およびブリッジ接続情報を取得する。
【００５７】
ＣＰＵ３１は、取得した論理接続情報およびブリッジ接続情報に基づいて、電力線通信ネットワークＮＷ１〜ＮＷ４の各々における電力線通信装置の論理接続関係および電力線通信ネットワークＮＷ１〜ＮＷ４間のブリッジ接続関係を示した接続マップ情報を生成する。ＣＰＵ３１は、生成した接続マップ情報を記憶部３２に記憶する。接続マップ情報については、以下で説明する。
【００５８】
ＣＰＵ３１は、生成した接続マップ情報に基づいて、電力線通信ネットワークＮＷ１〜ＮＷ４の各々における電力線通信装置の論理接続関係および電力線通信ネットワークＮＷ１〜ＮＷ４間のブリッジ接続関係を、表示部３３を介して表示装置に表示する。
【００５９】
例えば、ＣＰＵ３１は、電力線通信ネットワークＮＷ１〜ＮＷ４の各々における電力線通信装置の論理接続関係および電力線通信ネットワークＮＷ１〜ＮＷ４間のブリッジ接続関係を、グラフィカルに表示装置に表示する。例えば、ＣＰＵ３１は、図２に示すような画像を表示装置に表示してもよい。具体的には、ＣＰＵ３１は、電力線通信装置を模擬した画像と、電力線通信装置間の接続を模擬した線の画像とを表示装置に表示してもよい。
【００６０】
図６は、接続マップ情報の一例を示した図である。図６に示す接続マップ情報は、情報処理装置２の記憶部３２に記憶される。図６に示すように、接続マップ情報は、Deviceと、MAC addressと、IP addressと、直下デバイスｋ（ｋ＝０，…，Ｎ）と、直下ブリッジｌ（ｌ＝０，…，Ｎ）と、を有している。
【００６１】
図６に示すDevice、MAC address、および直下デバイスｋは、図３で説明したDevice、MAC address、および直下デバイスｋと同じである。つまり、図６に示すDevice、MAC address、および直下デバイスｋは、マスタの電力線通信装置Ｍ１〜Ｍ４が有していた論理接続情報である。情報処理装置２のＣＰＵ３１は、マスタの電力線通信装置Ｍ１〜Ｍ４と通信して、マスタの電力線通信装置Ｍ１〜Ｍ４が有している論理接続情報（Device、MAC address、および直下デバイスｋの情報）を取得し、記憶部３２に記憶する。
【００６２】
なお、図６に示す行Ａ１のDevice、MAC address、および直下デバイスｋは、マスタの電力線通信装置Ｍ１が有していた論理接続情報であり、電力線通信ネットワークＮＷ１の論理接続情報である。また、図６に示す行Ａ２のDevice、MAC address、および直下デバイスｋは、マスタの電力線通信装置Ｍ２が有していた論理接続情報であり、電力線通信ネットワークＮＷ２の論理接続情報である。また、図６に示す行Ａ３のDevice、MAC address、および直下デバイスｋは、マスタの電力線通信装置Ｍ３が有していた論理接続情報であり、電力線通信ネットワークＮＷ３の論理接続情報である。図６に示す行Ａ４のDevice、MAC address、および直下デバイスｋは、マスタの電力線通信装置Ｍ４が有していた論理接続情報であり、電力線通信ネットワークＮＷ４の論理接続情報である。
【００６３】
IP addressは、IP addressに対応するDevice（電力線通信線装置）のIP（Internet Protocol address）アドレスを示している。例えば、Device「Ｍ１」の電力線通信装置のＩＰアドレスは、「ＩＰ＿Ｍ１」である。Device「Ｔ１ａ」の電力線通信装置のＩＰアドレスは、「ＩＰ＿Ｔ１ａ」である。情報処理装置２のＣＰＵ３１は、電力線通信装置を検索するデバイス検索コマンドをブロードキャストし、デバイス検索コマンドに対する応答信号から、電力線通信装置Ｍ１〜Ｍ４，Ｔ１ａ〜Ｔ１ｃ，Ｔ２ａ〜Ｔ２ｃ，Ｔ３ａ〜Ｔ３ｃ，Ｔ４ａ〜Ｔ４ｃのＩＰアドレスを取得する。
【００６４】
ブリッジｌは、ブリッジｌに対応するDevice（電力線通信線装置）とブリッジ接続されている電力線通信装置の情報である。ブリッジ接続の接続先の電力線通信装置の情報は、Device（識別情報）であってもよいし、MAC addressまたはIP addressであってもよい。情報処理装置２のＣＰＵ３１は、電力線通信装置Ｍ１〜Ｍ４，Ｔ１ａ〜Ｔ１ｃ，Ｔ２ａ〜Ｔ２ｃ，Ｔ３ａ〜Ｔ３ｃ，Ｔ４ａ〜Ｔ４ｃと通信して、ブリッジ接続の接続先の電力線通信装置の情報を取得し、記憶部３２に記憶する。図６に示すDeviceが、ブリッジ接続されていない場合には、ブリッジ接続されていないことを示す情報「−」が記憶される。
【００６５】
なお、電力線通信装置は、複数の電力線通信装置とブリッジ接続される場合がある。この場合、ブリッジｌには、ブリッジ接続数分のブリッジ接続情報が記憶される。例えば、電力線通信装置Ｔ１ｃは、電力線通信装置Ｔ２ｂと、電力線通信ネットワークＮＷｘの電力線通信装置Ｔｘ（図１には図示せず）とに、ブリッジ接続される場合がある。この場合、図６のDevice「Ｔ１ｃ」のブリッジ２には、「Ｔｘ」が記憶される。
【００６６】
図７は、論理接続情報の生成におけるマスタの動作例を示したフローチャートである。マスタの電力線通信装置Ｍ１は、例えば、電源が投入されると、一定の周期で図７に示すフローチャートの処理を実行する。
【００６７】
電力線通信装置Ｍ１のＣＰＵは、マスタの存在を通知するコマンド（存在通知コマンド）を送信（電源ライン３ａに送出）する（ステップＳ１）。
【００６８】
電力線通信装置Ｍ１のＣＰＵは、存在通知コマンドを受信したターミナルの電力線通信装置Ｔ１ａ〜Ｔ１ｃから、認証要求を受信する（ステップＳ２）。なお、認証要求は、図８のステップＳ１３にて送信される。
【００６９】
電力線通信装置Ｍ１のＣＰＵは、ターミナルの電力線通信装置Ｔ１ａ〜Ｔ１ｃから、認証要求を受信すると、認証要求したターミナルの電力線通信装置Ｔ１ａ〜Ｔ１ｃが、マスタの電力線通信装置Ｍ１の配下に属してよいか（認証してよいか）否かを判定する（ステップＳ３）。例えば、電力線通信装置Ｍ１は、所定の認証情報（例えば、鍵）を有している。電力線通信装置Ｍ１のＣＰＵは、ターミナルの電力線通信装置Ｔ１ａ〜Ｔ１ｃから受信した認証情報が、マスタの電力線通信装置Ｍ１の所定の認証情報と一致する場合、認証情報を送信したターミナルの電力線通信装置Ｔ１ａ〜Ｔ１ｃを、マスタの電力線通信装置Ｍ１の配下に属してよいと判定する。
【００７０】
電力線通信装置Ｍ１のＣＰＵは、認証要求してきたターミナルの電力線通信装置Ｔ１ａ〜Ｔ１ｃが、マスタの電力線通信装置Ｍ１の配下に属してよいと判定した場合（Ｓ３の「ＹＥＳ」）、論理接続情報を更新する（ステップＳ４）。例えば、電力線通信装置Ｍ１のＣＰＵは、認証を許可したターミナルの電力線通信装置Ｔ１ａ〜Ｔ１ｃの情報を論理接続情報に追加する。
【００７１】
一方、電力線通信装置Ｍ１のＣＰＵは、認証要求したターミナルの電力線通信装置Ｔ１ａ〜Ｔ１ｃが、マスタの電力線通信装置Ｍ１の配下に属してよいと判定しない場合（Ｓ３の「ＮＯ」）、当該フローチャートの処理を終了する。
【００７２】
図７のフローチャートでは、マスタの電力線通信装置Ｍ１の動作例について説明したが、その他のマスタの電力線通信装置Ｍ２〜Ｍ４も同様の処理を行う。
【００７３】
図８は、論理接続情報の生成におけるターミナルの動作例を示したフローチャートである。ターミナルの電力線通信装置Ｔ１ａは、例えば、電源が投入されると、一定の周期で図８に示すフローチャートの処理を実行する。
【００７４】
電力線通信装置Ｔ１ａのＣＰＵは、電力線通信装置Ｔ１ａがマスタの電力線通信装置Ｍ１において、未認証状態であるか否かを判定する（ステップＳ１１）。すなわち、電力線通信装置Ｔ１ａのＣＰＵは、電力線通信装置Ｔ１ａがマスタの電力線通信装置Ｍ１の配下に属しているか否かを判定する。
【００７５】
電力線通信装置Ｔ１ａのＣＰＵは、マスタの電力線通信装置Ｍ１における認証が未認証状態であると判定しない場合（Ｓ１１の「ＮＯ」）、当該フローチャートの処理を終了する。すなわち、電力線通信装置Ｔ１ａのＣＰＵは、電力線通信装置Ｔ１ａがマスタの電力線通信装置Ｍ１の配下に属している場合、当該フローチャートの処理を終了する。
【００７６】
一方、電力線通信装置Ｔ１ａのＣＰＵは、マスタの電力線通信装置Ｍ１における認証が未認証状態であると判定した場合（Ｓ１１の「ＹＥＳ」）、マスタの電力線通信装置Ｍ１の存在通知コマンド（図７のステップＳ１にて送信されるコマンド）を受信したか否かを判定する（ステップＳ１２）。すなわち、電力線通信装置Ｔ１ａのＣＰＵは、電力線通信装置Ｔ１ａがマスタの電力線通信装置Ｍ１の配下に属してない場合、マスタの電力線通信装置Ｍ１の存在通知コマンドを受信したか否かを判定する。
【００７７】
電力線通信装置Ｔ１ａのＣＰＵは、マスタの電力線通信装置Ｍ１の存在通知コマンドを受信したと判定しない場合（Ｓ１２の「ＮＯ」）、当該フローチャートの処理を終了する。
【００７８】
一方、電力線通信装置Ｔ１ａのＣＰＵは、マスタの電力線通信装置Ｍ１の存在通知コマンドを受信したと判定した場合（Ｓ１２の「ＹＥＳ」）、マスタの電力線通信装置Ｍ１に認証要求を送信する（ステップＳ１３）。マスタの電力線通信装置Ｍ１に送信した認証要求は、図７のステップＳ２にて受信される。
【００７９】
なお、電力線通信装置Ｔ１ａのＣＰＵは、ステップＳ１３にて認証要求を送信するとき、電力線通信装置Ｔ１ａの識別情報と、ＭＡＣアドレスと、電力線通信装置Ｔ１ａの下り方向直下の電力線通信装置の情報とを、マスタの電力線通信装置Ｍ１に送信する。これにより、マスタの電力線通信装置Ｍ１は、論理接続情報にターミナルの電力線通信装置Ｔ１ａのDeviceと、ＭＡＣアドレスと、直下デバイスの情報とを追加できる。
【００８０】
また、ターミナルの電力線通信装置Ｔ１ａのＣＰＵは、図７および図８には図示していないが、マスタの電力線通信装置Ｍ１から認証許可の情報を受信すると、例えば、認証許可の情報を記憶装置に記憶する。これにより、ターミナルの電力線通信装置Ｔ１ａのＣＰＵは、図８のステップＳ１１において記憶装置を参照することにより、ターミナルの電力線通信装置Ｔ１ａがマスタの電力線通信装置Ｍ１において、未認証状態であるか否かを判定できる。
【００８１】
図８のフローチャートでは、ターミナルの電力線通信装置Ｔ１ａの動作例について説明したが、その他のターミナルの電力線通信装置Ｔ１ｂ，Ｔ１ｃ，Ｔ２ａ〜Ｔ２ｃ，Ｔ３ａ〜Ｔ３ｃ，Ｔ４ａ〜Ｔ４ｃも同様の処理を行う。
【００８２】
図９は、接続マップ情報の生成における情報処理装置２の動作例を示したフローチャートである。情報処理装置２は、例えば、ユーザの操作に応じて、図９に示すフローチャートの処理を実行する。例えば、情報処理装置２は、ユーザが情報処理装置２の表示装置に、電力線通信ネットワークの接続関係を表示させる操作を行った場合、図９に示すフローチャートの処理を実行する。
【００８３】
情報処理装置２のＣＰＵ３１は、電力線通信装置を検索するデバイス検索コマンドをブロードキャストで送信する（ステップＳ２１）。なお、ブロードキャストしたデバイス検索コマンドは、図１の例の場合、電力線通信装置Ｍ１〜Ｍ４，Ｔ１ａ〜Ｔ１ｃ，Ｔ２ａ〜Ｔ２ｃ，Ｔ３ａ〜Ｔ３ｃ，Ｔ４ａ〜Ｔ４ｃに受信される。
【００８４】
ＣＰＵ３１は、接続マップ情報を生成する（ステップＳ２２）。接続マップ情報の生成については、別のフローチャートを用いて説明する。
【００８５】
ＣＰＵ３１は、ステップＳ２１のデバイス検索コマンドに応答した全デバイス（電力線通信装置）において接続マップ情報が生成されたか否かを判定する（ステップＳ２３）。ＣＰＵ３１は、ステップＳ２１のデバイス検索コマンドに応答した全デバイスにおいて接続マップ情報が生成されたと判定しない場合（Ｓ２３の「ＮＯ」）、処理をステップＳ２２に移行する。
【００８６】
一方、ＣＰＵ３１は、ステップＳ２１のデバイス検索コマンドに応答した全デバイスにおいて接続マップ情報が生成されたと判定した場合（Ｓ２３の「ＹＥＳ」）、生成した接続マップ情報に基づいて、電力線通信装置の接続関係を表示装置に表示する（ステップＳ２４）。
【００８７】
図１０は、接続マップ情報の生成における情報処理装置２の動作例を示したフローチャートである。図１０のフローチャートは、図９のステップＳ２２における詳細な処理を示している。
【００８８】
情報処理装置２のＣＰＵ３１は、図９のステップＳ２１のデバイス検索コマンドに対し、応答を返してきた電力線通信装置のＩＰアドレスを取得する（ステップＳ３１）。なお、ＣＰＵ３１は、図９のステップＳ２３の処理を経由して、ステップＳ３１の処理に移行した場合、これまでに取得していないＩＰアドレスを取得する。
【００８９】
ＣＰＵ３１は、ステップＳ３１にてＩＰアドレスを取得した電力線通信装置がマスタであるか否かを判定する（ステップＳ３２）。
【００９０】
ＣＰＵ３１は、ステップＳ３１にてＩＰアドレスを取得した電力線通信装置がマスタであると判定しない場合（Ｓ３２の「ＮＯ」）、ＩＰアドレスを取得した電力線通信装置（ターミナルの電力線通信装置）から、マスタのＭＡＣアドレスを取得する（ステップＳ３３）。なお、ターミナルの電力線通信装置は、マスタのＭＡＣアドレスを有している。従って、ターミナルの電力線通信装置は、ＣＰＵ３１による、マスタのＭＡＣアドレスの取得要求に応じて、マスタのＭＡＣアドレスをＣＰＵ３１に通知できる。
【００９１】
ＣＰＵ３１は、ステップＳ３１にてＩＰアドレスを取得した電力線通信装置がマスタである判定した場合（Ｓ３２の「ＹＥＳ」）、またはステップＳ３３にてマスタの電力線通信装置のＭＡＣアドレスを取得した場合、マスタの電力線通信装置から論理接続情報を取得する（ステップＳ３４）。
【００９２】
ＣＰＵ３１は、ステップＳ３４にて取得した論理接続情報を参照し、論理接続情報に含まれている電力線通信装置に対してブリッジ接続情報を要求し取得する（ステップＳ３５）。例えば、ＣＰＵ３１は、ステップＳ３４にて取得した論理接続情報に含まれるＭＡＣアドレスに基づいて、論理接続情報に含まれている電力線通信装置と通信し、ブリッジ接続情報を要求してブリッジ接続情報を取得する。なお、ブリッジ接続情報の要求を受けた電力線通信装置は、ブリッジ接続の接続先装置の情報を取得し、情報処理装置２に通知する。ブリッジ接続情報の要求を受けた電力線通信装置は、ブリッジ接続がされていない場合には（ブリッジ接続の接続先装置が存在しない場合には）、ブリッジ接続されていないことを示すブリッジ接続情報を、情報処理装置２に通知する。
【００９３】
ＣＰＵ３１は、ステップＳ３１にて取得したＩＰアドレス、ステップＳ３４にて取得した論理接続情報、およびステップＳ３５にて取得したブリッジ接続情報から、接続マップ情報を生成し、記憶部３２に記憶する（ステップＳ３６）。そして、ＣＰＵ３１は、図９のステップＳ２３に処理を移行する。
【００９４】
なお、ステップＳ３４にて取得する論理接続情報は、重複する場合がある。例えば、ステップＳ３１にて取得したＩＰアドレスが、図１に示した電力線通信装置Ｔ１ａのＩＰアドレスである場合、ＣＰＵ３１は、マスタの電力線通信装置Ｍ１の論理接続情報を取得する。次に、ステップＳ３１にて取得したＩＰアドレスが、例えば、図１に示した電力線通信装置Ｔ１ｂのＩＰアドレスである場合、ＣＰＵ３１は、すでに取得したマスタの電力線通信装置Ｍ１の論理接続情報を取得する。このように、ＣＰＵ３１は、すでにマスタの電力線通信装置Ｍ１の論理接続情報を取得していた場合、ステップＳ３４，Ｓ３５の処理を省略してもよい。そして、ＣＰＵ３１は、ステップＳ３６において、電力線通信装置Ｔ１ｂのＩＰアドレスを、記憶部３２に記憶してもよい。
【００９５】
以上説明したように、情報処理装置２のＣＰＵ３１は、ケーブル４ａ〜４ｃによりブリッジ接続された電力線通信ネットワークＮＷ１〜ＮＷ４の各々から、電力線通信ネットワークＮＷ１〜ＮＷ４の各々における電力線通信装置の論理接続情報およびブリッジ接続情報を取得する。ＣＰＵ３１は、取得した論理接続情報に基づいて、電力線通信ネットワークＮＷ１〜ＮＷ４の各々における電力線通信装置の論理接続関係を表示装置に表示し、取得したブリッジ接続情報に基づいて、電力線通信ネットワークＮＷ１〜ＮＷ４間のブリッジ接続関係を表示装置に表示する。これにより、ユーザは、ブリッジ接続された電力線通信ネットワークＮＷ１〜ＮＷ４において、電力線通信装置の接続関係を容易に把握できる。例えば、ユーザは、電力線通信装置の論理接続関係およびブリッジ接続関係を容易に把握できる。
【００９６】
また、電力線通信装置のイーサ部１３は、ケーブル４ａ〜４ｃによりブリッジ接続された電力線通信ネットワークＮＷ１〜ＮＷ４の各々における電力線通信装置の論理接続関係および電力線通信ネットワークＮＷ１〜ＮＷ４間のブリッジ接続関係を表示装置に表示する情報処理装置２と通信する。ＣＰＵ１１は、情報処理装置２の要求に応じて、ブリッジ接続の接続先の電力線通信装置の情報を取得し、情報処理装置２に通知する。これにより、ユーザは、ブリッジ接続された電力線通信ネットワークＮＷ１〜ＮＷ４において、電力線通信装置の接続関係を容易に把握できる。例えば、ユーザは、電力線通信装置の論理接続関係およびブリッジ接続関係を容易に把握できる。
【００９７】
（変形例１）
情報処理装置２のＣＰＵ３１は、電力線通信装置の論理接続関係およびブリッジ接続関係を表示装置に表示する際、電力線通信装置の各々から、下り方向および上り方向の通信速度の情報を取得してもよい。ＣＰＵ３１は、電力線通信装置の論理接続関係およびブリッジ接続関係の表示装置への表示とともに、取得した通信速度を表示してもよい。例えば、ＣＰＵ３１は、電力線通信装置間の接続を模擬した線の近傍に、下り方向および上り方向を示す矢印を表示し、下り方向および上り方向の通信速度を表示装置に表示してもよい。また、ＣＰＵ３１は、電力線通信装置の識別情報（Device）、ＭＡＣアドレス、およびＩＰアドレスの少なくとも１つを、電力線通信装置を模擬した画像の近傍に表示してもよい。
【００９８】
（変形例２）
情報処理装置２のＣＰＵ３１は、例えば、図２に示すような電力線通信装置の論理接続関係とブリッジ接続関係とを表示装置に表示するとしたが、これに限られない。ＣＰＵ３１は、例えば、電力線通信ネットワークを模擬した画像と、電力線通信ネットワーク間の接続（ブリッジ接続）を模擬した線とを表示装置に表示してもよい。そして、ＣＰＵ３１は、電力線通信ネットワークを模擬した画像が選択された場合に（例えば、クリックまたはタップされた場合に）、選択された電力線通信ネットワークを構成する電力線通信装置の論理接続を、表示装置に表示してもよい。これにより、ユーザは、電力線通信ネットワーク間の接続を容易に把握できる。また、ユーザは、電力線通信ネットワークを構成している電力線通信装置の論理接続関係を把握したい場合、把握したい電力線通信ネットワークを選択することにより、電力線通信装置の論理接続関係を容易に把握できる。
【００９９】
（変形例３）
図３では、論理接続情報にDeviceのＩＰアドレスおよびブリッジ接続情報が含まれていないがこれに限られない。論理接続情報にDeviceのＩＰアドレスおよびブリッジ接続情報が含まれてもよい。
【０１００】
例えば、マスタの電力線通信装置Ｍ１〜Ｍ４のＣＰＵは、論理接続情報を生成する際、ターミナルの電力線通信装置Ｔ１ａ〜Ｔ１ｃ，Ｔ２ａ〜Ｔ２ｃ，Ｔ３ａ〜Ｔ３ｃ，Ｔ４ａ〜Ｔ４ｃに対し、ＩＰアドレスおよびブリッジ接続情報の要求を行う。ターミナルの電力線通信装置Ｔ１ａ〜Ｔ１ｃ，Ｔ２ａ〜Ｔ２ｃ，Ｔ３ａ〜Ｔ３ｃ，Ｔ４ａ〜Ｔ４ｃのＣＰＵは、マスタの電力線通信装置Ｍ１〜Ｍ４からの要求に応じて、ＩＰアドレスおよびブリッジ接続情報をマスタの電力線通信装置Ｍ１〜Ｍ４に通知する。これにより、マスタの電力線通信装置Ｍ１〜Ｍ４のＣＰＵは、DeviceのＩＰアドレスおよびブリッジ接続情報を含む論理接続情報を生成できる。なお、論理接続情報にＩＰアドレスおよびブリッジ接続情報が含まれる場合には、情報処理装置２は、電力線通信装置Ｍ１〜Ｍ４，Ｔ１ａ〜Ｔ１ｃ，Ｔ２ａ〜Ｔ２ｃ，Ｔ３ａ〜Ｔ３ｃ，Ｔ４ａ〜Ｔ４ｃから、ＩＰアドレスおよびブリッジ接続情報を取得しなくてよい。
【０１０１】
上記の実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１０２】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）、又は、ＬＳＩ内部の回路セルの接続や設定を再構成可能なリコンフィギュラブル・プロセッサを利用してもよい。
【０１０３】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【産業上の利用可能性】
【０１０４】
本開示は、ブリッジ接続された複数の電力線通信ネットワークにおいて、電力線通信装置の接続関係を把握するのに有用である。
【符号の説明】
【０１０５】
Ｍ１〜Ｍ４，Ｔ１ａ〜Ｔ１ｃ，Ｔ２ａ〜Ｔ２ｃ，Ｔ３ａ〜Ｔ３ｃ，Ｔ４ａ〜Ｔ４ｃ  電力線通信装置
３ａ〜３ｄ  電源ライン
４ａ〜４ｃ  ケーブル
ＮＷ１〜ＮＷ４  電力線通信ネットワーク
１１，２０，３１  ＣＰＵ
１２  ＰＬＣ部
１３  イーサ部
１４  ＲＳ４８５Ｉ／Ｆ
１５  ＵＳＢＩ／Ｆ
１６  Ｅｔｃ．Ｉ／Ｆ
３２  記憶部
３３  表示部
３４  入力部
３５  通信部
【図１】
2020043468.tif 000003
【図２】
2020043468.tif 000004
【図３】
2020043468.tif 000005
【図４】
2020043468.tif 000006
【図５】
2020043468.tif 000007
【図６】
2020043468.tif 000008
【図７】
2020043468.tif 000009
【図８】
2020043468.tif 000010
【図９】
2020043468.tif 000011
【図１０】
2020043468.tif 000012